(57)【要約】    【構成】携帯端末１０は、ＬＣＤモニタ３０を含み、そのＬＣＤモニタ３０には、複数の階層から構成されるメニューが表示される。使用者は、キー入力装置２２に含まれる上方向キー２２ａまたは下方向キー２２ｂを操作することで、カーソルＣＵを操作して、任意のメニューを選択する。そして、使用者がキー入力装置２２に含まれる左方向キー２２ｃを操作すると、選択されたメニューが非表示にされる。さらに、ＬＣＤモニタ３０には、選択されたメニューが非表示にされたことを通知する、非表示マークＨＭまたは代理表示マークＤＭが表示される。    【効果】使用者は、ＬＣＤモニタ３０に表示されたメニューのうち任意のメニューを非表示にすることで、自身が利用しやすいメニュー表示を携帯端末１０に行わせることができる。【選択図】図１
2010108145.tif 000002
【特許請求の範囲】
【請求項１】
メニューを表示するメニュー表示手段、
前記メニューから任意のメニューを選択するメニュー選択手段、
前記メニュー選択手段によって選択されたメニューを非表示にする非表示手段、および
前記非表示手段によって選択されたメニューが非表示にされたことを通知する通知手段を備える、携帯端末。
【請求項２】
前記非表示手段によって非表示にされたメニューを復元表示する復元表示手段をさらに備える、請求項１記載の携帯端末。
【請求項３】
前記非表示手段によって非表示にされたメニューを仮表示する仮表示手段をさらに備え、
前記復元表示手段は、前記仮表示手段によって仮表示されたメニューが前記メニュー選択手段によって選択されたときに復元表示する、請求項２記載の携帯端末。
【請求項４】
前記復元表示手段は、前記仮表示手段によって仮表示されたメニューが複数ある場合に、仮表示されたメニューの全てを復元表示する全復元表示手段を含む、請求項３記載の携帯端末。
【請求項５】
前記仮表示手段によって仮表示されたメニューを再び非表示にする再非表示手段をさらに備え、
前記通知手段は、前記再非表示手段によって仮表示されたメニューが再び非表示にされたことを通知する再通知手段を含む、請求項３または４記載の携帯端末。
【請求項６】
前記メニューは複数の階層で構成されており、
前記メニュー表示手段が１つのメニューを表示するときに、前記１つのメニューに対応する上位階層のメニュー名を前記１つのメニュー名に変更するメニュー名変更手段をさらに備え、
前記メニュー表示手段は、前記メニュー名変更手段によって前記１つのメニューに対応する上位階層のメニュー名を前記１つのメニュー名に変更されたときに、上位階層メニューを表示する上位階層メニュー表示手段を含む、請求項１ないし５のいずれかに記載の携帯端末。
【請求項７】
前記メニュー選択手段は、方向入力キーであり、
前記任意のメニューは、前記方向入力キーが上下方向に操作されたときに選択され、
前記非表示手段は、前記方向入力キーが左右方向のいずれか一方方向に操作されたときに、選択されたメニューを非表示にする、請求項１ないし６のいずれかに記載の携帯端末。
【請求項８】
前記非表示手段は、前記方向入力キーが左方向に操作されたときに、前記メニュー選択手段によって選択されたメニューを非表示にし、
前記仮表示手段は、前記方向入力キーが右方向に操作されたときに、前記非表示設定手段によって非表示にされたメニューを仮表示し、
前記復元表示手段は、前記仮表示手段によって仮表示されたメニューが前記メニュー選択手段によって選択され、かつ前記方向入力キーがさらに右方向に操作されたときに復元表示する、請求項７記載の携帯端末。
【請求項９】
前記非表示手段は、前記方向入力キーが右方向に操作されたときに、前記メニュー選択手段によって選択されたメニューを非表示にし、
前記仮表示手段は、前記方向入力キーが左方向に操作されたときに、前記非表示設定手段によって非表示にされたメニューを仮表示し、
前記復元表示手段は、前記仮表示手段によって仮表示されたメニューが前記メニュー選択手段によって選択され、かつ前記方向入力キーがさらに左方向に操作されたときに復元表示する、請求項７記載の携帯端末。
【請求項１０】
メニューを表示できる表示装置および前記メニューから任意のメニューを選択するメニュー選択手段を備える携帯端末のプロセサを、
前記表示装置にメニューを表示させるメニュー表示手段、
前記メニュー選択手段によって選択されたメニューを非表示にする非表示手段、および
前記非表示手段によって選択されたメニューが非表示にされたことを通知する通知手段として機能させる、表示制御プログラム。
【発明の詳細な説明】
【技術分野】
【０００１】
この発明は、携帯端末に関し、特にたとえば携帯端末の機能に対応するメニューを表示する、携帯端末に関する。
【背景技術】
【０００２】
従来、携帯端末の機能に対応するメニューを表示する、携帯端末が知られており、この種の装置の一例が、特許文献１に開示されている。この背景技術は、デジタルカメラのメニュー画面を表示する表示装置を備える。メニュー画面で表示されるメニューは、再生メニュー、撮影メニュー、カスタムメニュー、セットアップメニューおよび画像編集メニューの５つの操作項目から構成され、その５つの操作項目は、メニューの第１階層に属する第１メニューである。また、この第１メニューは、第２階層に属する複数の第２メニューから構成される。そして、使用者は、必要に応じて第１メニューおよび第２メニューを選択することができる。ここで、第１階層に含まれる「メニュー表示切り換え」の第２メニューが選択され、「マイメニュー」の設定が行われると、第２メニューのそれぞれについて、表示／非表示の設定を行うことができる。これによって、ユーザが表示させたい操作項目のみを表示させることができる。
【特許文献１】特開２００８−４２４７５号公報［H04N 5/225, G06F 3/048］
【発明の開示】
【発明が解決しようとする課題】
【０００３】
ところが、特許文献１では、メニュー、つまり操作項目の表示／非表示を切り換えるためには、第２階層に含まれる「マイメニュー」を選択しなければならない。そして、ユーザは、操作項目を非表示に切り換える場合に、非表示に切り換える操作項目の階層位置を記憶しなければならない。そのため、ユーザは、非表示に切り換えたい操作項目の数が増えるほど記憶する階層位置が増えるため、表示／非表示の切り換え操作が煩雑になる。
【０００４】
また、マイメニューより下の階層、つまり第４階層および第５階層に含まれる操作項目を確認しながら表示／非表示を切り換える場合には、各操作項目の名称のみから表示／非表示の判断をしなければならない。たとえば、ユーザは、操作項目の名称のみで表示／非表示の判断ができない場合に、第１階層または第２階層に戻り、対象の操作項目の内容を確認しなければならないため、表示／非表示の切り換え操作が面倒になる。
【０００５】
それゆえに、この発明の主たる目的は、新規な、携帯端末およびこのような携帯端末のプロセサに適用される表示制御プログラムを提供することである。
【０００６】
この発明の他の目的は、使用者が利用しやすいメニュー表示を行うことができる、携帯端末およびこのような携帯端末のプロセサに適用される表示制御プログラムを提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、メニューを表示するメニュー表示手段、メニューから任意のメニューを選択するメニュー選択手段、メニュー選択手段によって選択されたメニューを非表示にする非表示手段、および非表示手段によって選択されたメニューが非表示にされたことを通知する通知手段を備える、携帯端末である。
【０００９】
第１の発明では、携帯端末（１０）のメニュー表示手段（２０，３０，Ｓ１）は、ＬＣＤモニタ（３０）にメニューを表示する。メニュー選択手段（２２）は、キー入力装置などに操作されるカーソル（ＣＵ，ＣＵａ）を用いて、表示されたメニューから任意のメニューを選択する。非表示手段（２０，Ｓ３３）は、カーソルによって選択されたメニューを非表示にする。そして、通知手段（２０，ＨＭ，ＤＭ，Ｓ３５，Ｓ５３）は、非表示マーク（ＨＭ）や代理表示マーク（ＤＭ）によって、選択されたメニューが非表示にされたことを通知する。
【００１０】
第１の発明によれば、非表示にするメニューを選択して、メニューを非表示に切り換えることができる。また、表示されたメニューのうち任意のメニューを非表示にすることで、携帯端末に、使用者が利用しやすいメニュー表示を行わせることができる。
さらに、使用者は、選択したメニューが非表示にされたと通知されるため、非表示にされたメニューが有ることを認識することができる。
【００１１】
第２の発明は、第１の発明に従属し、携帯端末は、非表示手段によって非表示にされたメニューを復元表示する復元表示手段をさらに備える。
【００１２】
第２の発明では、復元表示手段（２０，Ｓ４７，Ｓ５７）は、非表示にされたメニューをＬＣＤモニタに復元表示する。
【００１３】
第２の発明によれば、非表示にしたメニューを再び表示することができるため、使用者は、表示するメニューの編集（設定）を容易に行うことができる。
【００１４】
第３の発明は、第２の発明に従属し、携帯端末は、非表示手段によって非表示にされたメニューを仮表示する仮表示手段をさらに備え、復元表示手段は、仮表示手段によって仮表示されたメニューがメニュー選択手段によって選択されたときに復元表示する。
【００１５】
第３の発明では、仮表示手段（２０，Ｓ３９，Ｓ４３）は、非表示にされたメニューをＬＣＤモニタに仮表示し、復元表示手段は、その仮表示されたメニューを復元表示する。
【００１６】
第３の発明によれば、使用者は、復元表示する前に仮表示することで、復元表示する前に、非表示にしたメニューの名称を確認することができる。
【００１７】
第４の発明は、第３の発明に従属し、復元表示手段は、仮表示手段によって仮表示されたメニューが複数ある場合に、仮表示されたメニューの全てを復元表示する全復元表示手段を含む。
【００１８】
第４の発明では、全復元表示手段（２０，Ｓ４７）は、仮表示されたメニューが複数ある場合に、たとえば右方向キー（２２ｄ）が長押しされると、仮表示されたメニューの全てを復元表示する。
【００１９】
第４の発明によれば、仮表示された複数のメニューを一気に復元表示できるため、使用者の操作性が向上する。
【００２０】
第５の発明は、第３の発明または第４の発明に従属し、携帯端末は、仮表示手段によって仮表示されたメニューを再び非表示にする再非表示手段をさらに備え、通知手段は、再非表示手段によって仮表示されたメニューが再び非表示にされたことを通知する再通知手段を含む。
【００２１】
第５の発明では、再非表示手段（２０，Ｓ５１）は、メニューが仮表示されている状態で、左方向キー（２２ｃ）が操作されると、仮表示されたメニューを再び非表示にする。そして、再通知手段（２０，Ｓ５３）は、仮表示されたメニューが再び非表示されたことを再通知する。
【００２２】
第５の発明によれば、使用者は、仮表示したメニューが不要であると判断したときに、再び非表示にすることができる。
【００２３】
第６の発明は、第１の発明ないし第５の発明にいずれかに従属し、メニューは複数の階層で構成されており、携帯端末は、メニュー表示手段が１つのメニューを表示するときに、１つのメニューに対応する上位階層のメニュー名を１つのメニュー名に変更するメニュー名変更手段をさらに備え、メニュー表示手段は、メニュー名変更手段によって１つのメニューに対応する上位階層のメニュー名を１つのメニュー名に変更されたときに、上位階層メニューを表示する上位階層メニュー表示手段を含む。
【００２４】
第６の発明では、メニュー表示手段によって表示されるメニューは、複数の階層で構成されている。メニュー名変更手段（２０，Ｓ１７）は、非表示手段によってメニューが非表示にされることで、表示されるメニューが１つだけになったときに、その１つのメニューに対応する上位階層のメニュー名を１つのメニュー名に変更する。そして、上位階層メニュー表示手段（２０，Ｓ１９）は、その変更されたメニュー名を表示するために、上位階層におけるメニューの一覧を表示する。つまり、表示するメニューが一つだけの場合には、上位メニューの名を表示されるメニューの名称に変更して、上位階層のメニューの一覧に、名称を変更したメニューを表示する。
【００２５】
第６の発明によれば、表示するメニューが１つだけになれば、表示されるメニューにおいて１階層分の表示を省略することができるため、使用者が行うメニューの操作を簡易化することができる。
【００２６】
第７の発明は、第１の発明ないし第６の発明のいずれかに従属し、メニュー選択手段は、方向入力キーであり、任意のメニューは、方向入力キーが上下方向に操作されたときに選択され、非表示手段は、方向入力キーが左右方向のいずれか一方方向に操作されたときに、選択されたメニューを非表示にする。
【００２７】
第７の発明では、方向入力キー（２２ａ，２２ｂ，２２ｃ，２２ｄ）は、キー入力装置に含まれるキーである。そして、非表示手段は、左方向キーまたは右方向キーのいずれか一方が操作されると、選択されたメニューを非表示にする。
【００２８】
第７の発明によれば、方向入力キーを操作することで、非表示にするメニューを決定することができる。
【００２９】
第８の発明は、第７の発明に従属し、非表示手段は、方向入力キーが左方向に操作されたときに、メニュー選択手段によって選択されたメニューを非表示にし、仮表示手段は、方向入力キーが右方向に操作されたときに、非表示設定手段によって非表示にされたメニューを仮表示し、復元表示手段は、仮表示手段によって仮表示されたメニューがメニュー選択手段によって選択され、かつ方向入力キーがさらに右方向に操作されたときに復元表示する。
【００３０】
第８の発明では、メニューを非表示にする際には左方向キーを操作する。また、非表示にしたメニューを仮表示する際には右方向キーを操作し、復元表示する際には、さらに右方向キーを操作する。
【００３１】
第９の発明は、第７の発明に従属し、非表示手段は、方向入力キーが右方向に操作されたときに、メニュー選択手段によって選択されたメニューを非表示にし、仮表示手段は、方向入力キーが左方向に操作されたときに、非表示設定手段によって非表示にされたメニューを仮表示し、復元表示手段は、仮表示手段によって仮表示されたメニューがメニュー選択手段によって選択され、かつ方向入力キーがさらに左方向に操作されたときに復元表示する。
【００３２】
第９の発明では、第８の発明とは左右方向が逆であり、メニューを非表示にする際には右方向キーを操作する。さらに、非表示にしたメニューを仮表示する際には左方向キーを操作する。そして、復元表示する際には、さらに左方向キーを操作する。
【００３３】
第８の発明および第９の発明によれば、携帯端末に備わる方向入力キーを利用して、メニューの表示／非表示を切り換えることができるため、容易に使用者が利用しやすいメニューの表示を行うことができる。
【００３４】
第１０の発明は、メニューを表示できる表示装置（３０）およびメニューから任意のメニューを選択するメニュー選択手段（２２）を備える携帯端末のプロセサ（２０）を、表示装置にメニューを表示させるメニュー表示手段（Ｓ１）、メニュー選択手段によって選択されたメニューを非表示にする非表示手段（Ｓ３３）、および非表示手段によって選択されたメニューが非表示にされたことを通知する通知手段（Ｓ３５，Ｓ５３）として機能させる、表示制御プログラムである。
【００３５】
第１０の発明でも、第１の発明と同様に、表示されたメニューのうち任意のメニューを非表示にすることで、携帯端末に、使用者が利用しやすいメニュー表示を行わせることができる。さらに、使用者は、選択したメニューが非表示されたと通知されるため、非表示にされたメニューが有ることを認識することができる。
【発明の効果】
【００３６】
この発明によれば、表示されたメニューのうち、任意のメニューを非表示にすることができるため、使用者が不要と判断するメニューを表示内容にすることができるため、携帯端末は、使用者が利用しやすいメニューを表示することができる。
【００３７】
この発明の上述の目的、その他の目的、特徴および利点は、図面を参照して行う以下の実施例の詳細な説明から一層明らかとなろう。
【発明を実施するための最良の形態】
【００３８】
図１を参照して、携帯端末１０は、ＣＰＵ（プロセサまたはコンピュータと呼ばれることもある。）２０およびメニュー選択手段であるキー入力装置２２を含む。ＣＰＵ２０は、無線通信回路１４を制御して発呼信号を出力する。出力された発呼信号は、アンテナ１２から送出され、基地局を含む移動通信網に送信される。通話相手が応答操作を行うと、通話可能状態が確立される。
【００３９】
通話可能状態に移行した後にキー入力装置２２に対して通話終了操作が行われると、ＣＰＵ２０は、無線通信回路１４を制御して、通話相手に通話終了信号を送信する。通話終了信号の送信後、ＣＰＵ２０は、通話処理を終了する。先に通話相手から通話終了信号を受信した場合も、ＣＰＵ２０は、通話処理を終了する。また、通話相手によらず、移動通信網から通話終了信号を受信した場合も、ＣＰＵ２０は通話処理を終了する。
【００４０】
携帯端末１０が起動している状態で通話相手からの発呼信号がアンテナ１２によって捉えられると、無線通信回路１４は、着信をＣＰＵ２０に通知する。ＣＰＵ２０は、ＬＣＤドライバ２８によってＬＣＤモニタ３０を制御し、着信通知に記述された発信元情報をＬＣＤモニタ３０に表示させる。また、ＣＰＵ２０は、図示しない着信通知用のスピーカから着信音を出力させる。
【００４１】
通話可能状態では、次のような処理が実行される。通話相手から送られてきた変調音声信号（高周波信号）は、アンテナ１２によって受信される。受信された変調音声信号は、無線通信回路１４によって復調処理および復号処理を施される。これによって得られた受話音声信号は、スピーカ１８から出力される。マイク１６によって取り込まれた送話音声信号は、無線通信回路１４によって符号化処理および変調処理を施される。これによって生成された変調音声信号は、上述と同様、アンテナ１２を利用して通話相手に送信される。
【００４２】
また、キー入力装置２２は、上方向キー２２ａ、下方向キー２２ｂ、左方向キー２２ｃ、右方向キー２２ｄおよび確定キー２２ｅなどの複数のキーを含む。上方向キー２２ａ、下方向キー２２ｂ、左方向キー２２ｃおよび右方向キー２２ｄは、方向キー、十字キーまたは方向入力キーと呼ばれることがあり、ＬＣＤモニタ３０に表示されるカーソルなどを任意の方向に操作するときに、使用者によって操作される。また、確定キー２２ｅは、キー入力装置２２に対して行われた操作を確定する場合に、使用者によって操作される。
【００４３】
図２は携帯端末１０の外観を示す図解図である。図２を参照して、携帯端末１０は、板状に形成されたケースＣを有する。図２では、図示しないマイク１６およびスピーカ１８は、それぞれケースＣに内蔵される。内蔵されたマイク１６に通じる開口ＯＰ２は、ケースＣの長さ方向一方の上面に設けられ、内蔵されたスピーカ１８に通じる開口ＯＰ１は、ケースＣの長さ方向他方の上面に設けられる。つまり、使用者は、開口ＯＰ１を通じてスピーカ１８から出力される音を聞き、開口ＯＰ２を通じてマイク１６に音声を入力する。
【００４４】
キー入力装置２２は、ケースＣの上面に設けられる。また、上方向キー２２ａ、下方向キー２２ｂ、左方向キー２２ｃ、右方向キー２２ｄおよび確定キー２２ｅは、ケースＣの上面中央に設けられる。さらに、キー入力装置２２は、０〜９の数字キー、＊キー、＃キー、通話キー、終話キーおよびクリアキーを含む。そして、使用者は、キー入力装置２２に含まれる通話キーまたは終話キーを操作することで通話開始／終了操作や、携帯端末１０の電源のオン／オフ操作などを行う。ＬＣＤモニタ３０は、モニタ画面がケースＣの上面に露出するように取り付けられる。
【００４５】
携帯端末１０は、様々な機能を備えており、それぞれの機能において、その状態を設定可能である。また、それぞれ機能は、複数の階層から構成されるメニュー形式でＬＣＤモニタ３０に表示され、ＧＵＩ（Ｇｒａｐｈｉｃａｌ  Ｕｓｅｒ  Ｉｎｔｅｒｆａｃｅ）を利用して、設定を変更することが可能である。ここで、携帯端末１０の複数の機能をメニュー形式で表示する際のメニュー構造を図３に示す。
【００４６】
図３を参照して、機能メニューの構造は、３つの階層から構成されており、上位階層から第１階層、第２階層、第３階層となっている。第１階層には、携帯端末１０の機能メニューを示すため「機能」が含まれる。なお、携帯端末１０のアドレス帳データをメニュー形式で表示する際には、第１階層に「アドレス帳」が含まれ、データフォルダをメニュー形式で表示する際には、第１階層に「データフォルダ」が含まれる。
【００４７】
第２階層には、「使用状態」、「音」、「画面」、「ロック」および「ユーザ補助」のメニューが含まれ、それぞれが携帯端末１０の機能を分類したグループの名称を示す。「使用状態」は携帯端末１０の使用状態を示す機能が分類されたグループの名称であり、この「使用状態」に対応する第３階層には、「料金照会」、「時間／料金」および「通話料金表示」の機能を示すメニューが含まれる。「料金照会」は、ネットワークとのデータ通信により、一定期間（たとえば、１ヶ月）の通話料金を参照することができる機能である。「時間／料金」は、前回の通話における通話時間・料金の目安を確認する機能である。「通話料金表示」は、通話終了後に通話料金の目安を表示するか否かを設定する機能である。
【００４８】
第２階層の「音」はスピーカ１６などから出力される音に関連する機能が分類されたグループの名称であり、この「音」に対応する第３階層には「着信音」、「ＯＫ音」、「ＮＧ音」、「キー操作音」、「オート着信」、「呼出バイブ」および「パワーオフトーン」の機能を示すメニューが含まれる。「着信音」は、着信があった際の音、たとえばメロディーおよびそのメロディーの音量を設定する機能である。「ＯＫ音」は、使用者が行った操作が完了したことを通知する音の音量を設定する機能である。「ＮＧ音」は、使用者が行った操作が失敗したことを通知する音の音量を設定する機能である。「キー操作音」は、キー入力装置２２に含まれる各キーが操作されたときに鳴る音の音量を設定する機能である。「オート着信」は、ハンズフリー状態で着信があった場合に自動的に通話状態にするか否かを設定する機能である。なお、ハンズフリー状態とは、専用のマイク付きイヤフォンが携帯端末１０に接続された状態である。「呼出バイブ」は、通話相手と通話状態が確立された場合に、図１に図示しないバイブレータ用モータによって、携帯端末１０を振動させるか否かを設定する機能である。「パワーオフトーン」は、携帯端末１０の電源がオフにされたときに鳴る効果音の種類と、その効果音の音量を設定する機能である。
【００４９】
第２階層の「画面」は、ＬＣＤモニタ３０に表示する画像や情報などの機能が分類されたグループの名称であり、この「画面」に対応する第３階層には、「待受画面」、「表示情報設定」および「言語設定」の機能を示すメニューが含まれる。「待受画面」は、携帯端末１０の待機状態で表示される画像データを設定する機能である。「表示情報設定」は、待受状態で時刻表示を行うか否かを設定する機能である。「言語設定」は、ＬＣＤモニタ３０に表示される言語を日本語か英語のいずれかに設定する機能である。
【００５０】
第２階層の「ロック」は、携帯端末１０の操作を制限する機能が分類されたグループの名称であり、この「ロック」に対応する第３階層には、「オートロック」、「発信制限」および「ロックＮｏ変更」の機能を示すメニューが含まれる。「オートロック」は、一定時間の操作がされない場合に、携帯端末１０に対する操作を制限するか否かを設定する機能である。「発信制限」は、発信を制限するか否かを設定する機能である。「ロックＮｏ変更」は、「オートロック」および「発信制限」を一時的に解除するＮｏを変更する機能である。
【００５１】
第２階層の「ユーザ補助」は、文字入力などの補助する機能が分類されたグループの名称であり、この「ユーザ補助」に対応する第３階層には、「単語登録」、「アップデート」および「自動時刻補正」が含まれる。「単語登録」は、普段よく利用する単語や言葉を登録する機能である。「アップデート」は、ネットワークに接続することで携帯端末１０のソフトを更新するか否かを判断する機能である。「自動時刻補正」は、近隣の基地局から送信される信号に基づいて、自動的に内部時計の時刻を補正する機能である。
【００５２】
なお、携帯端末１０の機能は、図３に示した機能以外を備えてもよいし、メニュー形式の階層は３階層だけに限らず、第４階層以上を持つようにしてもよい。
【００５３】
図４（Ａ）〜（Ｄ）は、メニュー形式で表示される機能を操作するＧＵＩの表示例を示す図解図である。図４（Ａ）を参照して、ＬＣＤモニタ３０には、状態表示領域４０および機能表示領域４２が表示される。状態表示領域４０には、携帯端末１０の電波状態、充電池の残容量および現在日時が表示される。機能表示領域４２には、携帯端末１０の機能をメニュー形式で表示したＧＵＩが表示されている。なお、機能表示領域４２には、ＧＵＩのほかに、待機状態の待受画像、着信中に表示される通話相手の情報など、図４（Ａ）の表示例とは異なる画像や文字列が表示されることがある。
【００５４】
図４（Ａ）に示す表示例では、携帯端末１０の機能メニューの一覧、つまり図３で示した第２階層のメニューが表示される。さらに、キー入力装置２２に含まれる上方向キー２２ａおよび下方向キー２２ｂによって操作可能なカーソルＣＵが表示される。また、機能メニューのＧＵＩで表示される各メニューは、番号が割り当てられ、使用状態メニューには「１」、音メニューには「２」、画面メニューには「３」、ロックメニューには「４」、ユーザ補助メニューには「５」が割り当てられる。なお、図４（Ａ）で示す状態表示領域４０、機能表示領域４２およびカーソルＣＵについては、他の図面でも同様であるため、他の図面では簡単のために、詳細な説明を省略する。
【００５５】
また、カーソルＣＵによって音メニューを選択し、確定キー２２ｅが操作されると、図４（Ｂ）に示すように音メニューの一覧、つまり第２階層の「音」に対応する第３階層の各メニューが表示される。つまり、「着信音」、「ＯＫ音」、「ＮＧ音」、「キー操作音」、「オート着信」、「呼出バイブ」および「パワーオフトーン」が表示される。また、図４（Ａ）と同様に、音メニューに含まれる各メニューには、番号が割り当てられる。つまり、着信音メニューには「１」、ＯＫ音メニューには「２」、ＮＧ音メニューには「３」、キー操作音メニューには「４」、オート着信メニューには「５」、呼出バイブ「６」、パワーオフトーンメニューには「７」が割り当てられる。なお、この番号は、他の第３階層のメニューにおいても同様に割り当てられる。
【００５６】
また、図４（Ａ）において、カーソルＣＵによってメニューを選択せずに、キー入力装置２２に含まれる数字キーを操作することで、確定キー２２ｅが操作したときと同じ効果を得ることができる。つまり、図４（Ａ）に示すメニューが表示された状態で「２」の数字キーが操作されると、音メニューが選択された後に、確定キー２２ｅが操作された操作された場合と同じ効果が得られるため、図４（Ｂ）の表示例が表示される。なお、クリアキーが操作されると、上位階層に戻る。また、終話キーが操作されるとメニュー表示が終了する。
【００５７】
ここで、本実施例の携帯端末１０では、ＬＣＤモニタ３０に表示された各メニューを容易に、非表示（隠す）にしたり、復元表示（再表示）したりすることで、使用者が利用しやすいメニュー表示を行う機能を備える。
【００５８】
まず、表示されている任意のメニューを非表示にする手順を説明する。図４（Ｃ）を参照して、ＯＫ音メニューをカーソルＣＵで選択し、左方向キー２２ｃを操作することで、非表示に設定することができる。ＯＫ音メニューが非表示にされると、図４（Ｄ）に示すように、着信音メニューとＮＧ音メニューとの間のＯＫ音メニューが表示されなくなり、代わりに非表示マークＨＭａが、着信音メニューとＮＧ音メニューとの間において右側に表示される。そして、使用者は、非表示マークＨＭａを見ることで、着信音メニューとＮＧ音メニューとの間には、非表示にされたメニュー（非表示メニュー）が存在することを認識することができる。つまり、携帯端末１０は、非表示メニューがあることを使用者に通知する。なお、使用者は、ＯＫ音メニューに割り当てられた番号、つまり「２」が割り当てられたメニューが表示されていないことから、非表示にされたメニューが存在することを認識することもできる。また、他のメニューでも、カーソルＣＵで選択された後に左方向キー２２ｃが操作されると、非表示にされる。
【００５９】
さらに、任意のメニューが非表示にされた後のカーソルＣＵは、非表示メニューに隣接するメニューを選択した状態となる。つまり、図４（Ｃ）では、ＯＫ音メニューが非表示にされたため、図４（Ｄ）では、ＯＫメニューに隣接するＮＧ音メニューがカーソルＣＵによって選択された状態となる。なお、図４（Ｄ）では、着信音メニューがカーソルＣＵによって選択された状態であってもよい。
【００６０】
つまり、キー入力装置２２に含まれる左方向キー２２ｃを操作することで、非表示にするメニューを決定することができる。なお、図４（Ｃ）で示す非表示メニューＨＭａについては、他の図面でも同様であるため、他の図面では簡単のために、詳細な説明を省略する。
【００６１】
次に、非表示メニューを復元表示する手順について説明する。図５（Ａ）に示す音メニューの一覧では、ＯＫ音メニューが非表示にされている。ここで、復元表示する場合には、カーソルＣＵを非表示マークＨＭａに接近させた状態、つまり非表示にされたメニューに隣接するメニューをカーソルＣＵによって選択した状態にして、右方向キー２２ｄを操作すると、非表示メニューが仮表示される。そして、図５（Ｂ）に示すように、非表示にされたＯＫメニューが着信音メニューとＮＧ音メニューとの間に仮表示される。また、仮表示されたメニュー（仮表示メニュー）である、ＯＫメニューは、下線Ｕが付加された状態で表示され、仮表示であることが使用者に示される。なお、図５（Ｂ）で示す下線Ｕａについては、他の図面でも同様であるため、他の図面では簡単のために、詳細な説明を省略する。
【００６２】
そして、仮表示されたＯＫメニューがカーソルＣＵで選択された状態で、さらに右方向キー２２ｄが操作されると、ＯＫメニューが復元表示される。つまり、図５（Ｃ）に示すように、ＯＫメニューに付加されていた下線Ｕａが消える。
【００６３】
このように、左方向キー２２ｃおよび右方向キー２２ｄを利用して、メニューの表示／非表示を切り換えることができる。そして、非表示メニューを仮表示することで、復元表示する前に、その非表示メニューの名称を確認することができる。つまり、使用者は、メニューの一覧表示において、表示の設定（編集）を容易に行うことができる。
【００６４】
また、仮表示したＯＫメニューを再び非表示にする場合に、左方向キー２２ｃを操作すると、図５（Ａ）に示すように、仮表示されていたＯＫメニューが再非表示にされる。つまり、使用者は、仮表示したメニューが不要であると判断すれば、仮表示メニューが再び非表示にすることができる。
【００６５】
なお、カーソルＣＵによって、仮表示メニューを選択した後に、他のメニューを選択しても仮表示メニューを再非表示にしてもよい。さらに、カーソルＣＵが仮表示メニューに隣接した状態で、離れる方向に移動されても再非表示にしてもよい。たとえば、ＮＧ音メニューが仮表示メニューであり、カーソルＣＵによってＯＫメニューが選択されている場合に、着信音メニューが選択されると、ＮＧ音メニューが再非表示にされる。また、図５（Ａ）において、ＯＫ音メニューを仮表示する際に、キー入力装置２２に含まれる「２」の数字キーを操作しても、図５（Ｂ）に示すように、ＯＫメニューが仮表示されてもよい。つまり、非表示にされたメニューに「２」の番号が割り当てられているため、その番号に対応する「２」の数字キーで仮表示するメニューを指定してもよい。また、同様にして、図５（Ｂ）において、ＯＫメニューを復元表示する際に、キー入力装置２２に含まれる「２」の数字キーを操作しても、図５（Ｃ）に示すように、ＯＫメニューが復元表示されてもよい。
【００６６】
次に、複数のメニューが非表示にされた状態で、復元表示する場合について説明する。図６（Ａ）に示す音メニューの一覧では、ＯＫ音メニュー、ＮＧ音メニュー、オート着信メニューおよび呼出バイブメニューが非表示にされている。また、ＯＫ音メニューおよびＮＧ音メニューが非表示であることを示す非表示マークＨＭａが、着信音メニューとキー操作音メニューとの間において右側に表示され、オート着信メニューおよび呼出バイブメニューが非表示であることを示す非表示マークＨＭｂが、キー操作音メニューとパワーオフトーンメニューとの間において右側に表示される。ここで、カーソルＣＵによって着信音メニューが選択された状態で、右方向キー２２ｄが操作されると、図６（Ｂ）に示すように、着信音メニューとキー操作音メニューとの間に、ＯＫ音メニューおよびＮＧ音メニューが仮表示される。つまり、ＯＫ音メニューには下線Ｕａが付加され、ＮＧ音メニューには下線Ｕｂが付加される。
【００６７】
なお、非表示マークＨＭａおよび非表示マークＨＭｂを区別しない場合には、非表示マークＨＭと呼ぶことにする。また、カーソルＣＵによって着信音メニューが選択された状態で右方向キー２２ｄが操作されても、オート着信メニューおよび呼出バイブメニューは、仮表示されない。さらに、キー操作音が選択された状態で、右方向キー２２ｄがされると、オート着信メニューおよび呼出バイブメニューは仮表示されるが、ＯＫ音メニューおよびＮＧ音メニューは仮表示されない。
【００６８】
ＯＫ音メニューおよびＮＧ音メニューが仮表示された状態で、ＯＫ音メニューがカーソルＣＵによって選択され、右方向キー２２ｄが操作されると、図６（Ｃ）に示すように、ＯＫ音メニューが復元表示される。そして、ＮＧ音メニューを復元表示する場合には、ＮＧ音メニューがカーソルＣＵによって選択され、右方向キー２２ｄが操作すれば、図６（Ｄ）に示すように、ＮＧ音メニューが復元表示される。
【００６９】
また、複数の仮表示メニューを一気に復元表示する場合には、表示された仮表示メニューのいずれか一つをカーソルＣＵによって選択した後に、右方向キー２２ｄを所定時間（たとえば、１秒）長押しすることで、仮表示メニューの全てを同時に復元表示することができる。たとえば、図６（Ｂ）に示すＧＵＩで、仮表示メニューであるＯＫ音メニューまたはＮＧ音メニューのいずれか一方をカーソルＣＵで選択した後に、右方向キー２２ｄを長押しすると、図６（Ｄ）のように、ＯＫ音メニューとＮＧ音メニューが復元表示される。つまり、仮表示メニューを一気に復元表示することができるため、使用者の操作性が向上する。
【００７０】
なお、図６（Ｂ）に示す音メニューでは、仮表示メニューであるＯＫ音メニューまたはＮＧ音メニューのいずれかに対応する数字キー、つまり「２」または「３」の数字キーが長押しされても、ＯＫ音メニューおよびＮＧ音メニューが復元表示される。
【００７１】
次に、表示されるメニューが１つだけになった場合のメニュー表示について説明する。図７（Ａ）に示すＧＵＩでは、音メニューの内容において、ＯＫ音メニュー、ＮＧ音メニュー、オート着信メニュー、呼出バイブメニューおよびパワーオフトーンメニューが非表示にされている。図７（Ａ）に示す状態で、キー操作音メニューが選択され、非表示にされると着信音メニューのみが表示される。表示されるメニューが１つだけになると、図７（Ｂ）に示すように、上位階層の機能メニューの内容を示す表示に切り換わり、音メニューの名称が、「着信音」の名称に変更される。これは、音メニューにおいて唯一表示されるメニューが着信音メニューであるため、機能メニューにおいて、音メニューの名称が、着信音に切り換えられる。また、代理表示されているメニュー（代理表示メニュー）であることを示す代理表示マークＤＭが、音メニューの右側に表示される。なお、代理表示されている着信音メニューが選択された後に、確定キー２２ｅが操作されると、着信音の設定を行うＧＵＩが表示される。
【００７２】
また、音メニューに対応する非表示メニューを仮表示する場合には、代理表示マークＤＭが付加された着信音メニューにおいて、右方向キー２２ｄを操作すれば、図７（Ｃ）に示すように、音メニューの一覧が表示される。つまり、ＯＫ音メニューに下線Ｕａ付加され、ＮＧ音メニューに下線Ｕｂ付加され、キー操作音メニューに下線Ｕｃ付加され、オート着信メニューに下線Ｕｄ付加され、呼出バイブメニューに下線Ｕｅ付加されおよびパワーオフトーンメニューに下線Ｕｆ付加されて仮表示される。ここで、仮表示メニューのいずれかを選択した後に右方向キー２２ｄを操作すれば選択された仮表示メニューが復元表示され、右方向キー２２ｄが長押しされれば、仮表示メニューの全てが復元表示される。また、いずれかの仮表示メニューが選択された後に、左方向キー２２ｃが操作されば、仮表示メニューが再非表示にされる。なお、下線Ｕａ−Ｕｇを区別しない場合には、下線Ｕと呼ぶことにする。
【００７３】
つまり、表示するメニューが１つだけになれば、メニューの階層を１つ省略して表示することができるため、使用者が行うメニュー操作を簡易化することができる。
【００７４】
図８は、各メニューの表示と非表示とを判断するための表示テーブルデータの一例を示す図解図である。図８を参照して、第１階層の列には、機能が記憶される。また、第１階層の機能の欄に対応して、第２階層の列には「使用状態」、「音」、「画面」、「ロック」および「ユーザ補助」が記憶される。第２階層の列における「使用状態」の欄に対応して、「料金照会」、「時間／料金」および「通話料金表示」が記憶される。第２階層における「音」の欄に対応して、「着信音」、「ＯＫ音」、「ＮＧ音」、「キー操作音」、「オート着信」、「呼び出しバイブ」および「通話料金表示」が記憶される。第２階層の列における「画面」の欄に対応して「待受け画面」、「表示情報設定」および「言語設定」が記憶される。第２階層の列における「ロック」に対応して、「オートロック」、「発信制限」および「ロックＮｏ変更」が記憶される。第２階層の列における「ユーザ補助」の欄に対応して、「単語登録」、「アップデート」および「自動時刻補正」が記憶される。
【００７５】
そして、表示／非表示の列には、第３階層の各欄に対応して、「１」または「０」が記憶される。表示／非表示の列において「１」が記憶される欄は、対応する第３階層のメニューが表示される。一方、「０」が記憶される欄は、対応する第３階層のメニューが非表示にされる。
【００７６】
たとえば、図８に示す表示テーブルにおいて、着信音の欄には「１」、ＯＫ音の欄には「０」、ＮＧ音の欄には「０」、キー操作音の欄には「１」、オート着信音の欄には「０」、呼出バイブの欄には「０」、パワーオフトーンの欄には「１」となるように、表示／非表示の列に記憶されていると、図６（Ａ）に示すように、音メニューの一覧が表示される。つまり、着信音メニュー、キー操作音メニューおよびパワーオフトーンメニューが表示され、ＯＫ音メニュー、ＮＧ音メニュー、オート着信音メニューおよび呼出バイブメニューが非表示にされる。
【００７７】
さらに、ユーザ補助の欄において、対応する第３階層の単語登録に「１」、アップデートに「０」、自動時刻補正に「０」となるように表示／非表示の列に記憶されていると、機能メニューにおいて、ユーザ補助メニューの名称が、「単語登録」に切り換えられて表示される。つまり、ユーザ補助メニューの一覧では、「単語登録」メニューのみが表示されるようにされているため、機能メニューの一覧では、ユーザ補助メニューの名称が、「単語登録」に切り換えられる。
【００７８】
なお、図８に示す表示テーブルでは、携帯端末１０の機能の表示についてのみ図示されているが、アドレス帳データやデータフォルダなどのメニューにおける表示／非表示を示すように、記憶されていてもよい。
【００７９】
図９は、ＲＡＭ２６のメモリマップを示す図解図である。図９を参照して、ＲＡＭ２６のメモリマップ３００には、プログラム記憶領域３０２およびデータ記憶領域３０４が含まれる。プログラム及びデータの一部は、フラッシュメモリ２４から一度に全部または必要に応じて部分的にかつ順次的に読み出され、ＲＡＭ２６に記憶され、そしてＣＰＵ２０などで処理される。
【００８０】
プログラム記憶領域３０２には、携帯端末１０を動作させるためのプログラムが記憶される。この携帯端末１０を動作させるためのプログラムは、メニュー制御プログラム３１０および表示制御プログラム３１２などによって構成される。
【００８１】
メニュー制御プログラム３１０は、メニューの表示やメニューに対する操作を処理するためのプログラムである。また、表示制御プログラム３１２は、メニュー制御プログラム３１０のサブルーチンであり、各メニューの表示または復元表示を行うためのプログラムである。なお、図示は省略するが、携帯端末１０を動作させるためのプログラムは、通話制御プログラムや、ネットワークとのデータ通信を行うプログラムなどを含む。
【００８２】
データ記憶領域３０４には、表示画像データ３２０、機能メニューデータ３２２、表示テーブルデータ３２４およびアドレス帳データ３２６が記憶される。表示画像データ３２０は、図４（Ａ）などで示すＧＵＩを表示するための画像や、待機状態で表示される待受画像などから構成される。機能メニューデータ３２２は、図３に示す機能メニューに含まれる、携帯端末１０の機能のそれぞれを実行する実行ファイルデータおよびＧＵＩを利用して変更された設定結果から構成される。表示テーブルデータ３２４は、図８に示す表示テーブルのデータである。アドレス帳データは、他の携帯端末１０に割り当てられた電話番号などから構成される。
【００８３】
なお、図示は省略するが、データ記憶領域３０４には、カーソルＣＵの選択結果を一時記憶するバッファ、キー入力装置２２のキー入力を一時記憶するバッファ、仮表示したメニューを一時記憶するバッファおよび各キーの操作に対応するフラグや、携帯通信端末１０の動作に必要なバッファや他のフラグやカウンタも設けられる。
【００８４】
ＣＰＵ２０は、μＩＴＲＯＮ，ＳｙｍｂｉａｎまたはＬｉｎｕｘなどのリアルタイムＯＳの制御下で、図１０に示すメニュー制御処理、図１１に示す表示制御処理などを含む複数のタスクを並列的に実行する。
【００８５】
たとえば、使用者が携帯端末１０のキー入力装置２２に対して機能メニューをＬＣＤモニタ３０に表示させる操作を行うと、図１０に示すようにＣＰＵ２０は、メニュー制御処理を開始し、ステップＳ１では、メニューの一覧を表示する。つまり、機能メニューデータ３２０および表示テーブルデータ３２２に基づいて、ＬＣＤモニタ３０に表示させるメニューを決定し、表示画像データ３２０を利用して、図４（Ａ）または図７（Ｂ）に示す機能メニューの内容を表示する。なお、図４（Ａ）では、音メニューがカーソルＣＵによって選択されているが、ステップＳ１の処理が実行された直後では、表示される最上部のメニュー、つまり使用状態メニューがカーソルＣＵによって選択された状態となる。また、ステップＳ１を処理するＣＰＵ２０は、メニュー表示手段として動作する。
【００８６】
続いて、ステップＳ３では、方向キーが操作されたか否かを判断する。つまり、上方向キー２２ａ、下方向キー２２ｂ、左方向キー２２ｃまたは右方向キー２２ｄのいずれか１つのキーに対応するフラグがオンであるか否かを判断する。ステップＳ３で“ＹＥＳ”であれば、つまり上方向キー２２ａ、下方向キー２２ｂ、左方向キー２２ｃまたは右方向キー２２ｄのいずれか１つが操作されれば、ステップＳ１１に進む。一方、ステップＳ３で“ＮＯ”であれば、つまり上方向キー２２ａ、下方向キー２２ｂ、左方向キー２２ｃまたは右方向キー２２ｄが操作されなければ、ステップＳ５で確定キー２２ｅが操作されたか否かを判断する。つまり、確定キー２２ｅに対応するフラグがオンであるか否かを判断する。ステップＳ５で“ＮＯ”であれば、つまり確定キー２２ｅが操作されなければ、ステップＳ９に進む。一方、ステップＳ５で“ＹＥＳ”であれば、つまり確定キー２２ｅが操作されれば、ステップＳ７で選択されたメニューの内容を表示して、ステップＳ３に戻る。
【００８７】
たとえば、ステップＳ７の処理では、図４（Ａ）に示すように、音メニューがカーソルＣＵによって選択された後に、確定キー２２ｅが操作されると、図４（Ｂ）に示すように音メニューに含まれる各メニューが表示される。また、図４（Ｂ）に示すように、着信音メニューがカーソルＣＵによって選択された後に確定キー２２ｅが操作されると、着信音の機能が実行されるため、着信があった際のメロディーおよびそのメロディーの音量を設定するＧＵＩがＬＣＤモニタ３０に表示される。
【００８８】
図１０に戻って、ステップＳ９では、終了操作か否かを判断する。つまり、機能メニューの表示を終了するために、キー入力装置２２によって終了操作が行われたか否かを判断する。また、キー入力装置２２に対して行われる終了操作とは、たとえば終話キーが操作されることである。ステップＳ９で“ＮＯ”であれば、つまり終了操作がされなければ、ステップＳ３に戻る。一方、ステップＳ９で“ＹＥＳ”であれば、つまり終了操作がされれば、メニュー制御処理を終了する。
【００８９】
ステップＳ１１では、左右方向か否かを判断する。つまり、左方向キー２２ｃまたは右方向キー２２ｄに対応するフラグがオンであるか否かを判断する。ステップＳ１１で“ＮＯ”であれば、つまり左方向キー２２ｃまたは右方向キー２２ｄが操作されていなければ、ステップＳ２１に進む。一方、ステップＳ１１で“ＹＥＳ”であれば、つまり左方向キー２２ｃまたは右方向キー２２ｄが操作されていれば、ステップＳ１３で表示制御処理を実行する。この表示制御処理については、図１１に示す表示制御処理のフロー図を用いて詳細に説明するため、ここでは省略する。
【００９０】
続いて、ステップＳ１５では、表示メニューは一つだけか否かを判断する。たとえば、ステップＳ１３の処理によって、図７（Ａ）に示す着信音メニューまたはキー操作音メニューのいずれか一方が非表示にされたか否かを判断する。ステップＳ１５で“ＮＯ”であれば、表示メニューが１つだけでなければ、ステップＳ３に戻る。一方、ステップＳ１５で“ＹＥＳ”であれば、つまり表示メニューが１つだけであれば、ステップＳ１７で上位階層のメニュー名を変更する。つまり、メニュー名を表示するためのデータを変更する。具体的には、表示されるメニューは、図８に示す表示テーブルに基づいて決められる。たとえば、図４（Ａ）に示す音メニューは、表示テーブルの第２階層の列における音の欄から読み出される。そこで、図７（Ｂ）に示すように、機能メニューの一覧で、着信音メニューとして表示する場合に、読み出すデータを、第２階層の「音」の欄から第３階層の「着信音」の欄に変更する。
【００９１】
続いて、ステップＳ１９では、上位階層のメニューを表示し、ステップ３に戻る。たとえば、図４（Ａ）および図７（Ｂ）を参照して、音メニューに含まれる複数のメニューの内、着信音メニューのみが表示されるようにされていれば、音メニューの名称が着信音メニューに切り換えられて表示される。なお、ステップＳ１７を実行するＣＰＵ２０は、メニュー名変更手段として動作し、ステップＳ１９を実行するＣＰＵ２０は、上位階層メニュー表示手段として動作する。
【００９２】
ここで、ステップＳ１またはステップＳ７の処理で、第３階層のメニューを表示する場合には、表示テーブルの表示／非表示の列を参照してから表示する。そして、表示するメニューが１つであれば、表示になっている第３階層の欄に記憶されているデータを読み出して、機能メニューの一覧を表示する。これによって、第２階層の各欄に対応するメニューのそれぞれは、対応する第３階層の各メニューが１つしか表示されない場合に、表示される第３階層のメニューの名称を第２階層のメニューに変更して、表示することができる。
【００９３】
ステップＳ２１では、上下方向か否かを判断する。つまり、上方向キー２２ａまたは下方向キー２２ｂに対応するフラグがオンであるか否かを判断する。ステップＳ２１で“ＮＯ”であれば、つまり上方向キー２２ａまたは下方向キー２２ｂが操作されていなければ、ステップＳ３に戻る。一方、ステップＳ２１で“ＹＥＳ”であれば、つまり上方向キー２２ａまたは下方向キー２２ｂが操作されていれば、ステップＳ２３でカーソルＣＵの現在位置を更新して、ステップＳ３に戻る。つまり、カーソルＣＵによって選択されるメニューを更新する。なお、２つ以上の方向キーが同時に操作されると、ステップＳ２１で“ＮＯ”と判断される。
【００９４】
図１１は、ステップＳ１３（図１０参照）に示す表示制御処理を示すフロー図である。ステップＳ１３の処理が実行されるとＣＰＵ２０は、ステップＳ３１で右方向であるか否かを判断する。つまり、右方向キーに対応するフラグがオンであるか否かを判断する。ステップＳ３１で“ＹＥＳ”であれば、つまり右方向キーが操作されていれば、ステップＳ３７に進む。一方、ステップＳ３１で“ＮＯ”であれば、つまり右方向キー２２ｄでなく左方向キー２２ｃが操作されていれば、ステップＳ３３で選択されたメニューを非表示にし、ステップＳ３５で非表示マークＭＨを表示し、表示制御処理を終了して、図１０に示すメニュー制御処理に戻る。たとえば、ステップＳ３３の処理では、図４（Ｃ）に示すように、カーソルＣＵによってＯＫメニューが選択された状態で、左方向キー２２ｃが操作されると、図４（Ｄ）に示すように、ＯＫ音メニューが非表示にされる。そして、ステップＳ３５の処理では、図４（Ｄ）に示すように、非表示マークＨＭａが表示される。これによって、使用者は、非表示されたメニューが存在することを認識することができる。なお、ステップＳ３３の処理を実行するＣＰＵ２０は、非表示手段として動作し、ステップＳ３５の処理を実行するＣＰＵ２０は、通知手段として動作する。
【００９５】
ステップＳ３７では、非表示マークＨＭに隣接しているか否かを判断する。つまり、図５（Ａ）に示すように、カーソルＣＵが非表示マークＨＭａに隣接しているか否かを判断する。具体的には、カーソルＣＵによって選択されるメニューに対応する欄が、非表示にされる欄のメニューと隣接しているか否かによって判断する。ステップＳ３７で“ＮＯ”であれば、つまりカーソルＣＵが非表示マークＨＭａに隣接していなければ、ステップＳ４１に進む。一方、ステップＳ３７で“ＹＥＳ”であれば、つまりカーソルＣＵが非表示マークＨＭａに隣接していれば、ステップＳ３９で隣接する非表示メニューを仮表示する。つまり、図５（Ｂ）、図６（Ｂ）などに示すように、非表示にされたメニューが下線Ｕが付加されて表示され、仮表示された非表示メニューに対する非表示マークＨＭａが消去される。
【００９６】
ステップＳ４１では、代理表示メニューが選択されているか否かを判断する。つまり、代理表示マークＤＭが付加されたメニュー、たとえば図７（Ｂ）に示す着信音メニューがカーソルＣＵによって選択されているか否かを判断する。ステップＳ４１で“ＮＯ”であれば、右方向キー２２ｄが操作されたが、仮表示メニューを表示できる状態でなければ、表示制御処理を終了して、メニュー制御処理に戻る。一方、ステップＳ４１で”ＹＥＳ”であれば、つまり代理表示メニューが選択されていれば、ステップＳ４３で下位階層の非表示メニューを仮表示する。つまり、図７（Ｃ）に示すように、音メニューに対応する非表示メニューを仮表示する。なお、ステップＳ３９またはステップＳ４３を実行するＣＰＵ２０は、仮表示手段として動作する。
【００９７】
ステップＳ４５では、全復元表示操作か否かを判断する。つまり、右方向キー２２ｄが長押しされたか否かを判断する。ステップＳ４５で“ＮＯ”であれば、つまり全復元表示操作がされなければ、ステップＳ４９に進む。一方、ステップＳ４５で“ＹＥＳ”であれば、つまり全復元表示操作がされれば、ステップＳ４７で仮表示メニューの全てを復元表示し、表示制御処理を終了して、メニュー制御処理に戻る。
【００９８】
たとえば、図６（Ｂ）に示す複数の仮表示メニュー、つまりＯＫ音メニュー、ＮＧ音メニューのいずれか１つがカーソルＣＵによって選択されている状態で、右方向キー２２ｄが所定時間長押しされれば、図６（Ｄ）に示すように、ＯＫ音メニュー、ＮＧ音メニューが一気に復元表示される。
【００９９】
なお、ステップＳ４７の処理を実行するＣＰＵ２０は、全復元手段として動作する。また、全復元表示操作は、右方向キー２２ｄの長押し以外に、仮表示メニューに割り当てられた番号に対応する数字キーの長押しであってもよい。
【０１００】
ステップＳ４９では、再非表示操作か否かを判断する。つまり、左方向キー２２ｃが操作されたか否かを判断する。ステップＳ４９で“ＮＯ”であれば、つまり再非表示操作がされなければ、ステップＳ５５に進む。一方、ステップＳ４９で“ＹＥＳ”であれば、つまり再非表示操作がされれば、ステップＳ５１で仮表示メニューを再非表示する。たとえば、図５（Ｂ）、図６（Ｂ），（Ｃ）および図７（Ｃ）のように、仮表示メニューが表示される状態で、いずれか１つの仮表示メニューがカーソルＣＵによって選択されて、左方向キー２２ｃが操作されれば、仮表示メニューが再び非表示にされる。続いて、ステップＳ５３では、ステップＳ３５と同様に、非表示マークＨＭを表示し、表示制御処理を終了して、メニュー制御処理に戻る。
【０１０１】
なお、ステップＳ５１の処理を実行するＣＰＵ２０は、再非表示手段として動作し、ステップ５３の処理を実行するＣＰＵ２０は、再通知手段として動作する。また、再非表示操作は、カーソルＣＵによって選択されるメニューを仮表示メニューにから表示されている他のメニューに変更する操作や、カーソルＣＵが仮表示メニューから離れる操作であってもよい。
【０１０２】
ステップＳ５５では、復元表示操作か否かを判断する。つまり、仮表示メニューがカーソルＣＵによって選択された状態で、右方向キー２２ｄが操作されたか否かを判断する。ステップＳ５５で“ＮＯ”であれば、つまり復元表示操作がされなければ、ステップＳ４５に戻る。一方、ステップＳ５５で“ＹＥＳ”であれば、つまり復元表示操作がされれば、ステップＳ５７で選択された仮表示メニューを復元表示する。つまり、仮表示メニューがカーソルＣＵによって選択された状態で、右方向キー２２ｄが操作されれば、選択されていた仮表示メニューが復元表示される。なお、ステップＳ５７の処理を実行するＣＰＵ２０は、復元表示手段として動作する。
【０１０３】
続いて、ステップＳ５９で仮表示メニューが残っているか否かを判断する。つまり、表示される複数のメニューの内、仮表示メニューが含まれているか否かを判断する。具体的には、図８に示す表示テーブルで、非表示にされているメニューがあるか否かによって判断する。ステップＳ５９で“ＮＯ”であれば、つまり仮表示メニューが残っていれば、ステップＳ４５に戻る。一方、ステップＳ５９で“ＮＯ”であれば、つまり仮表示メニューが残っていなければ、表示制御処理を終了して、メニュー制御処理に戻る。
【０１０４】
図１２（Ａ），（Ｂ）は、音メニューに含まれる各メニューをアイコン表示した表示例である。図１２（Ａ）を参照して、着信メニューがアイコンＩＣａ、キー操作音メニューがアイコンＩＣｂ、ＯＫ音メニューがアイコンＩＣｃ、ＮＧ音メニューがアイコンＩＣｄ、オート着信メニューがアイコンＩＣｅ、呼出バイブメニューがアイコンＩＣｆおよびパワーオフトーンメニューがアイコンＩＣｇで表示される。また、各アイコンは、カーソルＣＵａによって選択される。このカーソルＣＵａは、上方向キー２２ａ、下方向キー２２ｂ、左方向キー２２ｃおよび右方向キー２２ｄによって、上下方向および左右方向に移動可能である。
【０１０５】
このように、各メニューをアイコン表示する場合では、左方向キー２２ｃおよび右方向キー２２ｄを利用してメニューの表示／非表示を切り換えることができない。そこで、左方向キー２２ｃおよび右方向キー２２ｄの代わりに、キー入力装置２２に含まれる＊キーおよび＃キーを利用する。つまり、左方向キー２２ｃの代わりに＊キーを利用し、右方向キー２２ｄの代わりに＃キーを利用する。これによって、左方向キー２２ｃ、右方向キー２２ｄを利用せずに、アイコン表示されたメニューを非表示したり、非表示にしたメニューを復元表示したりすることができる。
【０１０６】
たとえば、カーソルＣＵａによってキー操作音メニューをアイコン表示したアイコンＩＣｂが選択され、＊キーが操作されると、図１２（Ｂ）に示すように、アイコンＩＣｂが非表示にされ、非表示マークＨＭａがアイコンＩＣａおよびアイコンＩＣｃの間において、上側に表示される。また、アイコンＩＣｂを仮表示する場合には、アイコンＩＣａがカーソルＣＵａによって選択された状態で、＃キーが操作されればよい。そして、仮表示されたアイコンＩＣｂを復元表示する場合には、アイコンＩＣｂがカーソルＣＵｂによって選択された状態で、さらに＃キーが操作されればよい。また、各アイコンＩＣが仮表示される場合には、アイコンＩＣｆのように、アイコン内の文字列に下線が付加された状態となる。
【０１０７】
なお、＃キーを所定時間長押しすることで、全復元表示操作を行うようにしてあってもよい。また、各アイコンＩＣの表示位置は、キー入力装置２２に含まれる１〜９の数字キーと対応しており、数字キーの操作によって非表示にされたアイコンを仮表示および復元表示するようにしてもよい。たとえば、アイコンＩＣｂは、２の数字キーと対応しており、図１２（Ｂ）の状態で、２の数字キーが操作されば、アイコンＩＣｂが仮表示され、さらに２の数字キーが操作されれば、アイコンＩＣｂが復元表示される。また、表示／非表示を切り換えるために、＊キーおよび＃キー以外のキーを用いてもよいことは言うまでもなく、専用のキーを設けるようにしてもよい。
【０１０８】
以上の説明から分かるように、携帯端末１０が備えるＬＣＤモニタ３０には、複数の階層から構成されるメニューが表示される。キー入力装置２２に含まれる上方向キー２２ａまたは下方向キー２２ｂを操作することで、カーソルＣＵを操作して、任意のメニューを選択する。そして、使用者がキー入力装置２２に含まれる左方向キー２２ｃを操作すると、選択されたメニューが非表示にされる。さらに、ＬＣＤモニタ３０には、選択されたメニューが非表示にされたことを通知する、非表示マークＨＭまたは代理表示マークＤＭが表示される。
【０１０９】
これによって、ＬＣＤモニタ３０に表示されたメニューのうち任意のメニューを非表示にすることで、携帯端末１０には、使用者が利用しやすいメニュー表示を行わせることができる。さらに、使用者は、選択したメニューが非表示にされたと通知されるため、非表示にされたメニューが有ることを認識することができる。
【０１１０】
なお、非表示にしたメニューの全てを復元表示するために、「非表示メニューリセット」機能を備えてもよい。また、機能メニューの一覧で、いずれかのメニューを選択した後に、左方向キー２２ｃを操作することで、対応する下位仮想のメニューを一括で非表示にしてもよいし、注意表示をして非表示できないようにしてもよい。
【０１１１】
また、白抜き三角形で示した非表示マークＨＭは、塗りつぶしの三角形などの他の図形やマークなどであってもよい。同様に、黒丸で示した代理表示マークＤＭも、白抜きの丸などの他の図形やマークなどであってもよい。また、仮表示メニューであることを示す下線Ｕは、波線や二重線などの他の線であってもよいし、仮表示メニューの名称を示す文字列を斜体文字、太文字などにするようにしてもよい。さらに、各メニューの選択が選択されたことを視覚的に示すために、カーソルＣＵではなく、拡大表示（フォーカス）して示すようにしてもよい。
【０１１２】
また、上記実施例の携帯端末１０では、右方向キー２２ｄの操作により、選択されたメニューを仮表示、または、復元表示し、左方向キー２２ｃの操作により、選択されたメニューを非表示としているが、本発明では、この右方向キー２２ｄの機能および左方向キー２２ｃの機能を逆にすることも可能である。すなわち、本発明の携帯端末１０として、左方向キー２２ｃの操作により、選択されたメニューを仮表示、または、復元表示し、右方向キー２２ｄの操作により、選択されたメニューを非表示とするようにしてもよい。
【０１１３】
さらに、携帯端末１０の通信方式には、ＣＤＭＡ方式に限らず、Ｗ‐ＣＤＭＡ方式、ＴＤＭＡ方式、ＰＨＳ方式およびＧＳＭ方式などを採用してもよい。また、携帯端末１０のみに限らず、ＰＤＡ（Ｐｅｒｓｏｎａｌ  Ｄｅｇｉｔａｌ  Ａｓｓｉｓｔａｎｔ）などの携帯情報端末などであってもよい。
【図面の簡単な説明】
【０１１４】
【図１】図１は本発明の携帯端末を示すブロック図である。
【図２】図２は図１に示す携帯端末の外観を示す図解図である。
【図３】図３は図１に示す携帯端末の機能の構成の一例を示す図解図である。
【図４】図４は図１に示す携帯端末のＬＣＤモニタに表示されるメニューの一例を示す図解図である。
【図５】図５は図１に示す携帯端末のＬＣＤモニタに表示されるメニューの他の一例を示す図解図である。
【図６】図６は図１に示す携帯端末のＬＣＤモニタに表示されるメニューのその他の一例を示す図解図である。
【図７】図７は図１に示す携帯端末のＬＣＤモニタに表示されるメニューのさらにその他の一例を示す図解図である。
【図８】図８は図３に示す携帯端末の機能の構成に対応するテーブルの一例を示す図解図である。
【図９】図９は図１に示すＲＡＭのメモリマップの一例を示す図解図である。
【図１０】図１０は図１に示すＣＰＵのメニュー制御処理を示すフロー図である。
【図１１】図１１は図１に示すＣＰＵのメニュー表示処理を示すフロー図である。
【図１２】図１１は図１に示す携帯端末のＬＣＤモニタに表示されるメニューの他の一例を示す図解図である。
【符号の説明】
【０１１５】
１０    …  携帯端末
２０    …  ＣＰＵ
２２    …  キー入力装置
２６    …  ＲＡＭ
３０    …  ＬＣＤモニタ
【図１】
2010108145.tif 000003
【図２】
2010108145.tif 000004
【図３】
2010108145.tif 000005
【図４】
2010108145.tif 000006
【図５】
2010108145.tif 000007
【図６】
2010108145.tif 000008
【図７】
2010108145.tif 000009
【図８】
2010108145.tif 000010
【図９】
2010108145.tif 000011
【図１０】
2010108145.tif 000012
【図１１】
2010108145.tif 000013
【図１２】
2010108145.tif 000014